【事件の表示】
　平成１１年特許願第４０７０１号「光ディスク識別方法及び識別装置並びにこの識別装置を用いた光ディスク装置」拒絶査定に対する審判事件［平成１２年９月８日出願公開、特開２０００−２４３０２０］について、次のとおり審決する。
【結　論】
　本件審判の請求は、成り立たない。
【理　由】
［１］手続の経緯、本願発明
　本願は、平成１１年２月１８日の出願であって、その請求項３に係る発明（以下、「本願発明」という）は、平成１３年１０月２９日受付け及び平成１４年１月２１日受付けの手続補正で補正された明細書の特許請求の範囲の請求項３に記載された事項により特定される次のとおりのものと認める。
　
「光ディスクの表面から情報記録面までの距離が異なる複数種類の光ディスクを識別するための光ディスク識別装置において、
　光ディスクに対するフォーカスサーボ時のフォーカスドライブ電圧値を検出するフォーカスドライブ電圧値検出手段と、
　前記フォーカスドライブ電圧値検出手段によって検出されたフォーカスドライブ電圧値をデジタル値に変換するＡ／Ｄ変換手段と、
　前記フォーカスドライブ電圧値検出手段によって第１及び第２の光ディスクのフォーカスドライブ電圧値が検出され、前記Ａ／Ｄ変換手段によって変換されたとき、これら複数のフォーカスドライブ電圧値の平均値又は略中間値を算出する算出手段と、
　前記算出手段により算出された値を記憶する記憶手段と、
　前記記憶手段に記憶されている値と、前記フォーカスドライブ電圧値検出手段により検出されたフォーカスドライブ電圧値とを比較することによって第１の光ディスクであるか第２の光ディスクであるかを識別する識別手段とを備えたことを特徴とする光ディスク識別装置。」
　
［２］引用例
　原審の拒絶理由に引用された特開平９−３０６０８７号公報には、図面とともに、以下の事項が記載されている。
「【特許請求の範囲】
　【請求項１】　発光手段からの光束が集光する焦点位置を光ディスクの記録面に追従させるフォーカスサーボを行うフォーカスサーボ手段を備え、互いにディスク基板の厚さが異なる複数の光ディスクに対して情報の記録、再生又は消去の少なくとも何れか一つを行う光ディスク装置に用いられる、ディスク基板の厚さにより光ディスクを判別するディスク判別方法において、
　上記フォーカスサーボ手段にて生成されるフォーカスサーボ時のフォーカスドライブ電圧或いは該フォーカスドライブ電圧に応じた電圧のディスク基板の厚さによる違いを基に光ディスクを判別することを特徴とするディスク判別方法。
　【請求項２】　発光手段からの光束が集光する焦点位置を光ディスクの記録面に追従させるフォーカスサーボを行うフォーカスサーボ手段を備えた、互いにディスク基板の厚さが異なる複数の光ディスクに対して情報の記録、再生又は消去の少なくとも何れか一つを行う光ディスク装置に搭載される、ディスク基板の厚さにより光ディスクを判別するディスク判別装置であって、
　上記フォーカスサーボ手段により生成されるフォーカスサーボ時のフォーカスドライブ電圧或いは該フォーカスドライブ電圧に応じた電圧を検出する電圧検出手段と、
　フォーカスサーボ時のフォーカスドライブ電圧或いは該フォーカスドライブ電圧に応じた電圧を、ディスク基板の厚さに応じて予め設定値として記憶している設定値記憶手段と、
　上記電圧検出手段にて検出された電圧値と、上記設定値記憶手段に記憶されている設定値とを比較してディスク基板の厚さを識別するディスク識別手段とを備えていることを特徴とするディスク判別装置。」
「【００３７】
　システムコントローラ７は、光ヘッド４、フォーカスサーボ回路６へ制御信号を出力すると共に、フォーカスサーボ回路６からのフォーカスドライブ電圧（フォーカスドライブ電圧のオフセットのＤＣ成分）が入力され、ディスク基板厚を識別して光ディスク１を判別し、搭載されている光ディスク１のディスク基板厚に応じた光学系となるように、光ヘッド４における光学系の収差補正のための機構を制御するものである。本実施の形態の光ディスク装置の場合、光ヘッド４内の光ビームの光路に絞りを挿抜するようになっている。尚、詳細については後述するが、この
システムコントローラ７が、本発明の設定値記憶手段、ディスク識別手段、及び制御手段である。
「【００４８】
　
電圧検出回路２６は、出力回路２５から出力されるフォーカスサーボ時のフォーカスドライブ電流の電圧値を検出し、ディスク基板厚を識別するためのフォーカスドライブ電圧のオフセットのＤＣ成分をシステムコントローラ７へと出力するものである。
　【００４９】　上記電圧検出回路２６の詳細な回路構成を図２に示す。図２に示すＡ1は出力回路２５のドライバーアンプである。電圧検出回路２６は、このドライバーアンプＡ1の出力電流を測定するための抵抗Ｒ5と、該抵抗Ｒ5の端子間電圧を比較出力するディスク判別用アンプＡ2と、ゲイン設定用の４つの抵抗Ｒ1〜Ｒ4と、積分用の２つのコンデンサＣ1，Ｃ2とから構成されている。
　【００５０】　抵抗Ｒ5はドライバーアンプＡ1の出力に直列に接続されており、抵抗Ｒ5の片方の端子の電位は、抵抗Ｒ3，Ｒ4及びコンデンサＣ2によってある程度安定されてディスク判別アンプＡ2の非反転端子に入力されており、このディスク判別アンプＡ2は、非反転端子に入力された電位と、反転側に入ってきた電位との差を抵抗Ｒ1，Ｒ2，Ｒ3，Ｒ4及びコンデンサＣ1で決まるゲインで出力する。ディスク判別アンプＡ2 の出力が、システムコントローラ７へ入力される
　【００５１】　次に、上記構成の光ディスク装置におけるディスク判別方法を説明する。前述したように、本実施の形態の光ディスク装置では、フォーカスサーボ時のフォーカスドライブ電圧を基にしてディスク基板の厚さを識別し、ディスクを判別するようになっている。したがって、まず、上記光ディスク装置におけるフォーカスサーボ動作について説明する。
　【００５２】　光ディスク装置のターンテーブル２上に光ディスク１が装着され、ターンテーブル２が回転を開始すると、光ディスク１の情報を読み出すために、システムコントローラ７の命令によりフォーカスサーチ回路２３よりアクチュエータを上下に振るフォーカスドライブ電流が出力され、フォーカスサーチ動作が行われる。
　【００５３】　フォーカスサーチ動作による光ヘッド４からの情報はＩ／Ｖ変換回路５により電圧変換され、フォーカスエラー信号回路２０及びフォーカスＯＫ信号回路２１にて、フォーカスエラー信号及びフォーカスＯＫ信号などが作成される。上記フォーカスエラー信号とフォーカスＯＫ信号は、光ディスク１上に光ヘッド４から照射される微小な光スポットの焦点を合わせるために必要であり、上記フォーカスエラー信号とフォーカスＯＫ信号より合焦位置を見つけ出した時、システムコントローラ７がフォーカススイッチ２２をＯＮしフォーカスサーボループを閉じる。これによりフォーカスサーボが実施され、出力回路２５から光ヘッド４のアクチュエータには、対物レンズ１３を光ディスク１の記録面に追随させ得るフォーカスドライブ電流が送られる。
　【００５４】　図６（ａ）に、第１の光ディスク１ａにフォーカスサーボが行われている状態を示す。図中破線は、基準位置であり、基台１８に取り付けられた支持部材１９が、理想的には光ディスク１と平行となるように保持体１７を支持した状態で、保持体１７の中立位置でもある。同図（ｂ）は、フォーカスサーボ時のディスク判別アンプＡ2の出力を示す。
　【００５５】　第１の光ディスク１ａ上の情報を読み出そうとフォーカスサーボを行った場合、保持体１７は、基準位置よりも＋Δｙ１上方（ディスク方面）にシフトした位置で制御される。言い換えれば、保持体１７を基準位置よりも＋Δｙ１だけ上げなければならないため、光ヘッド４内のアクチュエータコイルに基準よりも多くの電流を流さなければならないということから、ディスク判別アンプＡ2の出力が、同図（ｂ）に示すように、基準位置に保持体１７が位置するときの出力値であり基準電圧Ｖ0よりも＋ΔＶ１多い出力が得られる。
　【００５６】　同様に図７（ａ）に、第２の光ディスク１ｂにフォーカスサーボが行われている状態を示し、同図（ｂ）に、フォーカスサーボ時のディスク判別アンプＡ2の出力を示す。
　【００５７】　第２の光ディスク１ｂは、第１の光ディスク１ａに比べて薄いディスク基板を２枚貼り合わせたものであるので、第２の光ディスク１ｂ上の情報を読み出そうとフォーカスサーボを行った場合、前記第１の光ディスク１ａと比べて記録層の位置が下方にあることから、基準位置よりも−Δｙ２下方にシフトした位置で制御される。言い換えれば保持体１７を−Δｙ２だけ下げなければならないため、光ヘッド４内のアクチュエータコイルに基準よりも少ない電流を流すことで良いことから、ディスク判別アンプＡ2の出力が、同図（ｂ）に示すように、基準電圧Ｖ0よりも−ΔＶ２少ない出力が得られる。
　【００５８】　
システムコントローラ７には、基準電圧Ｖ0が予め記憶されており
「【００６４】　次に、本実施の形態の光ディスク装置を用いて、実際にディスク基板の厚みの異なるディスクを用いてフォーカスサーボを行い、その時のディスク判別アンプＡ2の出力からディスク判別が可能であるかどうかを確かめる実験を行った結果を示す。本実験では、厚さの異なる２枚の光ディスクとして、
約１．２ｍｍ厚のディスク基板を有するＣＤと、約０．６ｍｍ厚の貼り合わせディスク基板の高密度ディスク
　【００６５】　透明な基板表面から信号面（ピット）までの距離は、ディスク下面より信号を読み出すために、ＣＤは約１．２ｍｍ、高密度ディスクは約０．６ｍｍとなる。
　【００６６】　このようにＣＤと高密度ディスクとの信号面までの距離の差は約０．６ｍｍであることから、
ここではＣＤの場合は基準位置より＋０．３ｍｍ上方（ディスク方向）、高密度ディスクの場合は基準位置より−０．３ｍｍ下方でフォーカスドライブさせるように基準位置を設けた。そして、基準位置にある時のディスク判別アンプＡ2の出力を基準電圧Ｖ0とした。
　【００６７】　上記のような構成において、実際にフォーカスサーボを行った結果を、図１０（ａ)(ｂ）、図１１（ａ)(ｂ）に示す。ＣＤ３０をフォーカスサーボした場合のドライバーアンプＡ1の出力波形は、図１０（ｂ）に示すように、ＣＤ３０の面振れ等が±０．５ｍｍ程度であり、上記面振れを追うものであるから３〜８Ｈｚ程度のｓｉｎ波形となる。但し、上記保持体１７は基準位置より＋０．３ｍｍ上方を中心に制御されているため、＋ΔｖのＤＣ分のオフセットが生じ、このＤＣ成分がディスク判別アンプＡ2より出力され、
その出力は基準電圧より＋Δｖ多くなった
ディスク判別アンプＡ2の出力は基準電圧より−Δｖ少なくなった。
　【００６８】　このことから、ディスク判別アンプＡ2の出力を予め知っておいた基準電圧Ｖ0と比較することでディスク判別が可能であることが判明した。また、基準電圧Ｖ0は上記保持体１７、支持部材１９を構成しているアクチュエータの部品の構造や感度（コイル、マグネット、板バネ等の特性）によって変化するが、あらかじめバラツキを知っておけば良く、また、本実験例ではディスク判別アンプＡ2の出力より小さいものであるため、ディスク判別に影響を及ぼすものではなかった。
　【００６９】　また、ディスク判別の信頼性を裏付けるために、図１の電圧検出回路２６を構成する抵抗Ｒ1〜Ｒ4の抵抗値を１０ｋΩ、抵抗Ｒ5の抵抗値を０．４７Ω、コンデンサＣ1，Ｃ2の容量を数μＦ以下として、ＣＤのディスク基板厚に光学収差が設計されている光ヘッド４でディスク判別を行った結果、ＣＤと高密度ディスクとでは約５０ｍＶ程度の差が得られ、十分な違いが得られることがわかった。尚、従来のＣＤ用の光ヘッド４内に搭載されたアクチュエータの感度は１．８ｍｍ／Ｖ程度のものを利用した。」
　
　上記刊行物に記載された事項を図面とともに参酌すると、刊行物には、
「約１．２ｍｍ厚のディスク基板を有するＣＤと約０．６ｍｍ厚の貼り合わせディスク基板の高密度ディスクであるかを判別するディスク判別装置であって、
　フォーカスサーボ時のフォーカスドライブ電圧に応じた電圧を出力するディスク判別アンプと、
　ＣＤの場合は信号面までの距離が＋０．３ｍｍ上方、高密度ディスクの場合は−０．３ｍｍ下方でフォーカスドライブさせるように基準位置を設け、この基準位置にある時のディスク判別アンプの出力を基準電圧Ｖ0とし、基準電圧Ｖ0を予め記憶するシステムコントローラと、
　システムコントローラに記憶された基準電圧Ｖ0と、フォーカスサーボ時の電圧検出回路のディスク判別アンプの出力を比較し、基準電圧Ｖ0より多い＋ΔｖであればＣＤであると識別し、基準電圧より少ない−Δｖであれば高密度ディスクであることを識別するディスク識別手段と
を備えていることを特徴とするディスク判別装置。」の発明（以下、「刊行物の発明」という。）が記載されていると認められる。
　
［３］対比・判断
　刊行物の発明の「約１．２ｍｍ厚のディスク基板を有するＣＤ」と「約０．６ｍｍ厚の貼り合わせディスク基板の高密度ディスク」は、本願発明の「光ディスクの表面から情報記録面までの距離が異なる複数種類の光ディスク」における「第１の光ディスク」と「第２の光ディスク」に相当する。
　刊行物の発明の「フォーカスサーボ時のフォーカスドライブ電圧に応じた電圧を出力するディスク判別アンプ」は、本願発明の「フォーカスドライブ時のフォーカスドライブ電圧値を検出するフォーカスドライブ電圧値検出手段」に相当し、刊行物の発明の「システムコントローラ」は基準電圧を予め記憶しているから、本願発明の「記憶手段」に相当する。
　刊行物の発明の「ＣＤの場合は信号面までの距離が＋０．３ｍｍ上方、高密度ディスクの場合は−０．３ｍｍ下方でフォーカスドライブさせるように基準位置を設け、この基準位置にある時のディスク判別アンプの出力」は、「約１．２ｍｍ厚のディスク基板を有するＣＤ」をフォーカスサーボした場合の電圧（Ｖ0＋Δｖ）と「約０．６ｍｍ厚の貼り合わせディスク基板の高密度ディスク」をフォーカスサーボさせた場合の電圧（Ｖ0−Δｖ）を平均した電圧（（Ｖ0＋Δｖ）＋（Ｖ0−Δｖ）／２）であり、これは、本願発明の「第１及び第２の光ディスク」の「これら複数のフォーカスドライブ電圧値の平均値」といえるものであるから、
　　両者は、以下の発明で一致する。
「光ディスクの表面から情報記録面までの距離が異なる複数種類の光ディスクを識別するための光ディスク識別装置において、
　光ディスクに対するフォーカスサーボ時のフォーカスドライブ電圧値を検出するフォーカスドライブ電圧値検出手段と、
　第１及び第２の光ディスクのこれら複数のフォーカスドライブ電圧の平均値を記憶する記憶手段と、
　記憶手段に記憶されている値と、前記フォーカスドライブ電圧値検出手段により検出されたフォーカスドライブ電圧値とを比較することによって第１の光ディスクであるか第２の光ディスクであるかを識別する識別手段とを備えたことを特徴とする光ディスク識別装置。」
　
　そして、以下の点で相違する。
１．本願発明では、フォーカスドライブ電圧値検出手段によって検出されたフォーカスドライブ電圧値をデジタル値に変換するＡ／Ｄ変換手段を備え、フォーカスドライブ電圧値検出手段によって第１及び第２の光ディスクのフォーカスドライブ電圧値がデジタル値に変換されるのに対して、刊行物の発明には、Ａ／Ｄ変換手段を備えていない点。、
　
２．記憶手段に記憶される平均値が、本願発明では、フォーカスドライブ電圧値検出手段によって検出された第１及び第２の光ディスクのフォーカスドライブ電圧値を、Ａ／Ｄ変換手段算出手段により変換されたとき、算出手段により平均値として算出された値であるのに対して、刊行物の発明では、ＣＤの場合は信号面までの距離が＋０．３ｍｍ上方、高密度ディスクの場合は−０．３ｍｍ下方でフォーカスドライブさせるような基準位置を設け、この基準位置にある時の基準電圧である点。
　
　次に、上記各相違点について検討する。
　相違点１について
　フォーカスドライブ電圧値をデジタル値に変換することは周知（特開平９−３２６１６１号公報：「【００２０】ＦＥ信号１３を入力とし、ＦＺＣ信号１５を出力するＦＺＣアンプ１１は、ＦＺＣコンパレータ４１と共通し、バイアス抵抗器４３、４４は図示しないが、共通に存在する。ＲＦ信号１２を入力とする位相補償回路９、スイッチ１８、加算器１９を備えたサーボ系は、コントローラ１６によって制御される。加算器１９の制御は、デジタル値をアナログ値に交換するＤ／Ａ変換器１７を介して、行われる。電力増幅を行うドライバ２２は、抵抗器２０、２１によって、増幅度が設定される。ドライバ２２の出力は、抵抗器２４を介して
フォーカス・コイルからなるアクチュエータ２３
アクチュエータ２３のコイル電流をサンプル・アンド・ホールドし、さらにＡ／Ｄ変換を行い、ステップＳ１１でこの時のコイル電流値ｉ１をコントローラ１６内のメモリに格納する。
従って、実際には電流を検出せず、電圧を検出している。この電圧値は、Ａ／Ｄ変換器３２を介してコントローラ１６に入力され、ここで相当電流値に変換される。電流値と電圧値は比例関係にあるので、そのまま電圧値を検出値として使用しても良い。
　
　相違点２について
　検出して得られる値を基にして平均値を得ることは、分野を問わない周知慣用技術であり、約１．２ｍｍ厚のディスク基板を有するＣＤ（第１のディスク）と約０．６ｍｍ厚の貼り合わせディスク基板の高密度ディスク（第２のディスク）を識別するため、両者のディスク基板厚みの中間を基準位置とし、基準位置におけるフォーカスドライブ電圧を基準電圧とする刊行物の発明において、約１．２ｍｍ厚のディスク基板を有するＣＤ（第１のディスク）と約０．６ｍｍ厚の貼り合わせディスク基板の高密度ディスク（第２のディスク）のフォーカスドライブ電圧値を検出して、Ａ／Ｄ変換（相違点１参照。）した値から平均値を算出することは、当業者が容易に推考できることと認められる。
　
　そして、本願発明の作用効果も、引用例及び周知技術から当業者が容易に予測できる範囲のものである。
　
［４］むすび、
　以上のとおり、本願の請求項３に係る発明は、引用例に記載された発明及び周知技術に基づいて、当業者が容易に発明することができたものであるから、特許法第２９条第２項の規定により特許を受けることができない。
　したがって、本願は、その他の請求項について論及するまでもなく、拒絶すべきものである。
　よって、結論のとおり審決する。